(57)【要約】【課題】一度製氷板を通った製氷用水を循環させ、ふたたび製氷板上に流して製氷を行う製氷方法があり、そのような製氷方法においては、水が循環する循環経路中でのかびの発生や細菌の繁殖が危惧されるが、循環経路中を抗菌効果が持続する方法で抗菌する有力な手段が講じられていない。【解決手段】抗菌性を有する金属イオンを水に付与して抗菌水を生成する金属イオン溶出ユニット６と、抗菌水の供給を受けて、抗菌水を製氷面上に流し、層状に凍らせる製氷手段２と、を備える製氷装置であって、製氷手段２は、製氷面上を流れる抗菌水を循環させる、貯水タンク２２及び循環パイプ２３を含む循環経路を有し、金属イオン溶出ユニット６を、循環経路を形成する貯水タンク２２中に設ける。【選択図】  図４
2006349193.tif 000002
【特許請求の範囲】
【請求項１】
少なくとも不揮発性且つ抗菌性を有する物質を水に付与して抗菌水を生成する抗菌水生成手段と、前記抗菌水の供給を受けて、前記抗菌水を製氷面上に流し、層状に凍らせる製氷手段と、を備える製氷装置であって、
前記製氷手段は、前記製氷面上を流れる前記抗菌水を循環させる循環経路を有し、
前記抗菌水生成手段は、前記循環経路中に設けられていることを特徴とする製氷装置。
【請求項２】
製氷された氷を貯氷する貯氷庫をさらに備え、前記貯氷庫が満氷である場合には製氷を行わず、前記循環経路中に残留している前記抗菌水を所定時間毎に循環させることを特徴とする請求項１に記載の製氷装置。
【請求項３】
前記循環経路中に残留している抗菌水の水量が所定水量以下である場合には、前記抗菌水を補充することを特徴とする請求項２に記載の製氷装置。
【請求項４】
前記抗菌水の補充ができない場合には、補充ができないことを報知する報知手段を備えることを特徴とする請求項３に記載の製氷装置。
【請求項５】
前記貯氷庫が満氷状態から非満氷状態となった場合には、前記循環経路中に残留している抗菌水を排水後、前記循環経路に前記抗菌水を補充し、製氷を行うことを特徴とする請求項２から請求項４までのいずれか1項に記載の製氷装置。
【請求項６】
前記製氷手段に前記水を供給する給水経路を備え、前記抗菌水生成手段は、前記循環経路に替えて、前記給水経路中に設けられていることを特徴とする請求項２から５までのいずれか1項に記載の製氷装置。
【請求項７】
少なくとも不揮発性且つ抗菌性を有する物質を水に付与して抗菌水を生成する抗菌水生成手段と、水の供給を受けて、前記水を製氷面上に流し、層状に凍らせる製氷手段と、製氷された氷を貯氷する貯氷庫と、を備える製氷装置であって、
前記製氷手段は、前記製氷面上を流れる前記水を循環させる循環経路を有し、
前記貯氷庫が非満氷である場合には、前記水により製氷を行い、
前記貯氷庫が満氷である場合には製氷を行わず、前記抗菌水生成手段により生成される抗菌水を所定時間毎に循環させることを特徴とする製氷装置。
【請求項８】
前記貯氷庫が満氷状態から非満氷状態となった場合には、前記循環経路中に残留している抗菌水を排水後、前記循環経路に前記水を補充し、製氷を行うことを特徴とする請求項７に記載の製氷装置。
【請求項９】
前記不揮発性且つ抗菌性を有する物質は、抗菌性を有する金属イオンであることを特徴とする請求項１から請求項８までのいずれか１項に記載の製氷装置。
【請求項１０】
前記金属イオンは、金属電極に電圧を印加し電流を流す電気分解により水中に生成されることを特徴とする請求項９に記載の製氷装置。
【請求項１１】
前記金属電極へ通電する電気量を制御する制御手段を備えたことを特徴とする請求項１０に記載の製氷装置。
【請求項１２】
前記金属イオンは、抗菌性を有する金属イオンを含有している金属イオン含有物質から、水中に徐放または溶解されることを特徴とする請求項９に記載の製氷装置。
【請求項１３】
請求項１から請求項１２までのいずれか１項に記載の製氷装置を備えた冷蔵庫。
【発明の詳細な説明】
【技術分野】
【０００１】
本発明は、製氷装置及びそれを備えた冷蔵庫に関する。
【背景技術】
【０００２】
近年、自動製氷装置が一般的になりつつあり、家庭用冷蔵庫にも搭載されるようになっている。そのような自動製氷装置では、製氷に使用される水や、その水が接触する部分でのかびの発生や細菌の繁殖が問題となっている。この問題を解決すべく、自動製氷装置にカビや細菌の繁殖を抑制する対策手段が講じられている。
【０００３】
例えば、特開平６−２１３５４３号公報（特許文献１）では、銀入活性炭を収納したカセットを、水受皿内に着脱自在に設け、且つ水タンクから水受皿内に注水される水中にその銀入活性炭を浸漬させ、発生する銀イオンにより浄化抗菌された水を製氷皿に送り製氷している。
【０００４】
また、特開平６−２４１６３０号公報（特許文献２）では、給水タンクから供給される水を、抗菌効果のある銀ゼオライトが混入した樹脂で形成された水受容器に貯留し、水受容器内の水及び水受容器表面にカビなどが繁殖することを銀イオンにより抑制し、この水を製氷皿に送り製氷している。
【０００５】
特開２００３―１２１０５８号公報（特許文献３）では、給水タンク内に設置した電極材に電圧を印加し、給水タンク内に貯留されている水を電気分解して、電解水を生成し、給水タンクを含む製氷ラインにおけるカビや菌類の発生を抑制し、その電解水を製氷皿に供給して製氷している。
【０００６】
特開２０００−２５８００８号公報（特許文献４）では、製氷用水を貯蔵する貯水タンクから氷を製氷する製氷部に製氷用水を供給する製氷用水循環路を備えた製氷機であり、製氷用水循環路内に光触媒を配設し、製氷用水が光触媒に接触することにより、製氷用水を殺菌している。
【０００７】
特開平６−４２８４９号公報（特許文献５）では、給水タンクから製氷装置へのパイプに無機系抗菌剤を含有させた合成樹脂を用いて、給水パイプの内壁自体に抗菌性を持たせ、長期間にわたって製氷機が作動せず、パイプ内に水が滞留しても、雑菌の繁殖を抑制している。
【０００８】
特開２０００−２７４９００号公報（特許文献６）では、洗浄効果が見込める程度の殺菌塩素水を生成する塩素水生成装置を搭載した自動製氷装置を備えており、この塩素水生成装置により生成される殺菌性塩素水をポンプから給水経路を経て製氷皿まで流通させ、洗浄な困難なポンプ、給水経路および製氷皿内を殺菌洗浄している。
【０００９】
特開２００４−１９１０４５号公報（特許文献７）では、給水槽から製氷ユニットに至るまでの製氷水の流路に殺菌灯を設け、通過する水を殺菌している。
【特許文献１】特開平６−２１３５４３号公報
【特許文献２】特開平６−２４１６３０号公報
【特許文献３】特開２００３―１２１０５８号公報
【特許文献４】特開２０００−２５８００８号公報
【特許文献５】特開平６−４２８４９号公報
【特許文献６】特開２０００−２７４９００号公報
【特許文献７】特開２００４−１９１０４５号公報
【発明の開示】
【発明が解決しようとする課題】
【００１０】
しかしながら、特開平６−２１３５４３号公報（特許文献１）では、活性炭は吸着力が非常に強く、一旦吸着したものを取るためには特殊な操作が必要とされる。よって活性炭に含有される銀が水中にイオン化しにくい可能性があり、銀入り活性炭を通過した水を浄化することが可能であっても、銀入り活性炭を通過した水に抗菌に必要である充分な量の銀イオンが付与されて浄化作用を持った水になるとは限らない。
【００１１】
また、特開平６−２４１６３０号公報（特許文献２）では、水受容器を構成する樹脂に抗菌剤を含有させているが、一旦、菌やカビの発生により表面にぬめりなどが付着すると、表面から抗菌剤が水に付与されなくなる可能性があり、そのために抗菌効果が十分に発揮されなくなる恐れがあった。
【００１２】
また、特開２００３−１２１０５８号公報（特許文献３）では、製氷タンク内の水を電気分解し、次亜塩素酸含有水などの殺菌効果のある液体を生成する。しかし、次亜塩素酸は残留性が低く気化（揮発）しやすいため長期間の抗菌には不向きであるとともに、抗菌効果のある次亜塩素酸濃度はｐｐｍオーダーの発生量が必要であり、洗浄後の製氷皿で製氷すると塩素臭がする氷ができる可能性もある。
【００１３】
また、特開２０００−２５８００８号公報（特許文献４）では、貯水タンクに溶射された光触媒や、製氷用水循環路に取り付けられた光触媒ユニットにより、製氷用水を殺菌、分解している。しかし、光触媒による殺菌は、その光触媒表面に触れた細菌やカビ菌は殺菌、分解できるが、紫外線を照射する必要があるため、紫外線が当たらない部分や紫外線量が充分でない場合には、殺菌効果がないので、紫外線が当たらない部分や紫外線量が充分でない場合には細菌が繁殖したり、繁殖した菌により光触媒の表面にぬめりが発生してしまい光触媒の効果が失われる可能性がある。さらに、充分な量の紫外線を当てている間のみ殺菌効果あるので、紫外線が当たらない間（例えば、光源に通電していない場合）に細菌が繁殖する可能性がある。よって常に殺菌するためには、水が存在する全ての場所に充分な量の紫外線をあてることができる数の光源を用意して通電し続ける必要があり、コストが高くなるとともに、エネルギーを無駄に使用しなければならなかった。
【００１４】
さらに特開平６−４２８４９号公報（特許文献５）では、給水パイプを構成する樹脂に抗菌剤を含有させているが、一旦、菌やカビの発生により表面にぬめりなどが付着すると、表面から抗菌剤が水に付与されなくなる可能性があり、そのために抗菌効果が十分に発揮されなくなる恐れがあった。
【００１５】
さらに特開２０００−２７４９００号公報（特許文献６）では、製氷機洗浄モードをユーザーが外部より設定する必要があるので、ユーザーは洗浄のタイミングを常に意識しておかねばならない煩わしさがある。また、塩素は残留性が低く気化（揮発）しやすいため長期間の抗菌には不向きであるとともに、抗菌効果のある塩素濃度はｐｐｍオーダーの高濃度の塩素が必要であり、洗浄後の製氷皿で製氷すると塩素臭がする氷ができる可能性もある。
【００１６】
また、特開２００４−１９１０４５号公報（特許文献７）では、殺菌灯を通過した水が浄化されるのみで、浄化作用を持った水とはならず流路の抗菌・殺菌はできない。
【００１７】
また、自動製氷の手段のひとつに、製氷面に製氷用水を流しながら製氷を行う製氷方法がある。この製氷方法のひとつに、一度製氷板を通った製氷用水を循環させ、ふたたび製氷板上に流して製氷を行う製氷方法があり、そのような製氷方法においては、製氷用水が循環する循環経路中でのかびの発生や細菌の繁殖が危惧されるが、循環経路中を抗菌効果が持続する方法で抗菌する有力な手段が講じられていない。
【００１８】
本発明の目的は、上記問題を鑑みてなされたものであり、製氷用水が接触する部分の殺菌・抗菌を行う製氷装置及びそれを備えた冷蔵庫を提供することである。
【課題を解決するための手段】
【００１９】
この発明に従った製氷装置は、少なくとも不揮発性且つ抗菌性を有する物質を水に付与して抗菌水を生成する抗菌水生成手段と、抗菌水の供給を受けて、抗菌水を製氷面上に流し、層状に凍らせる製氷手段と、を備える製氷装置であって、製氷手段は、製氷面上を流れる抗菌水を循環させる循環経路を有し、抗菌水生成手段は、循環経路中に設けられていることを特徴とする。
【００２０】
この構成によると、不揮発性且つ抗菌性を有する物質が分散している抗菌水が接触する循環経路が殺菌され、循環経路を清潔に保つことができる。また、循環経路中に供給される水にかびや細菌が混入していたとしても、不揮発性且つ抗菌性を有する物質により抗菌水となるので、抗菌水中でのカビや細菌の増殖を抑制することができ、ぬめりの原因を根本的に排除することができる。
【００２１】
この発明に従った製氷装置においては、製氷された氷を貯氷する貯氷庫をさらに備え、貯氷庫が満氷である場合には製氷を行わず、循環経路中に残留している抗菌水を所定時間毎に循環させることが好ましい。
【００２２】
このような構成にすれば、貯氷庫が満氷である場合は、製氷手段にて製氷が行われないため、循環経路中にて抗菌水が存在しない部分で、カビや細菌の増殖が危惧されるが、所定時間毎に抗菌水を循環することで、循環経路中に抗菌水を接触させることができるので、当該部でのカビや菌の繁殖を抑制することができる。
【００２３】
この発明の製氷装置においては、循環経路中に残留している抗菌水の水量が所定水量以下である場合には、抗菌水を補充することが好ましい。
【００２４】
このような構成にすれば、循環経路中に残留している抗菌水の水量が、ポンプ２４の種類や性能などに見合った量でない場合、循環経路において抗菌水の循環ができない可能性があるが、このような事態が発生する可能性を低減することができる。
【００２５】
この発明の製氷装置においては、抗菌水の補充ができない場合には、補充ができないことを報知する報知手段を備えることが好ましい。
【００２６】
このような構成にすれば、ユーザーに循環経路の殺菌・抗菌ができないことを報知できる。
【００２７】
この発明の製氷装置においては、貯氷庫が満氷状態から非満氷状態となった場合には、循環経路中に残留している抗菌水を排水後、循環経路に抗菌水を補充し、製氷を行うことが好ましい。
【００２８】
このような構成にすれば、古い抗菌水を排水するので、新しい抗菌水により製氷を行うことができる。
【００２９】
この発明の製氷装置においては、製氷手段に水を供給する給水経路を備え、抗菌水生成手段は、循環経路に替えて、給水経路中に設けられていることが好ましい。
【００３０】
このような構成にすれば、循環経路中だけでなく、給水経路中の一部または全体をも殺菌・抗菌することができる。
【００３１】
この発明に従った製氷装置は、少なくとも不揮発性且つ抗菌性を有する物質を水に付与して抗菌水を生成する抗菌水生成手段と、水の供給を受けて、水を製氷面上に流し、層状に凍らせる製氷手段と、製氷された氷を貯氷する貯氷庫と、を備える製氷装置であって、製氷手段は、製氷面上を流れる水を循環させる循環経路を有し、貯氷庫が非満氷である場合には、水により製氷を行い、貯氷庫が満氷である場合には製氷を行わず、抗菌水生成手段により生成される抗菌水を所定時間毎に循環させることを特徴とする。
【００３２】
この構成によると、貯氷庫が非満氷である場合には、抗菌水生成手段により不揮発性且つ抗菌性を有する物質を水に付与せずに製氷を行うので、不揮発性且つ抗菌性を有する物質を含まない氷を製氷でき、貯氷庫が満氷である場合には、抗菌水生成手段により生成された抗菌水により、抗菌水が接触する循環経路が殺菌され、循環経路を清潔に保つことができる。
【００３３】
この発明の製氷装置においては、貯氷庫が満氷状態から非満氷状態となった場合には、循環経路中に残留している抗菌水を排水後、循環経路に水を補充し、製氷を行うことが好ましい。
【００３４】
このような構成にすれば、抗菌水により循環経路の殺菌・抗菌を行ったあとでも、不揮発性且つ抗菌性を有する物質を含まない水で製氷を行うことができる。
【００３５】
この発明の製氷装置においては、不揮発性且つ抗菌性を有する物質は、抗菌性を有する金属イオンであることが好ましい。
【００３６】
このような構成にすれば、抗菌性を有する金属イオン（以後、単に金属イオンと呼ぶこともある）は不揮発性であるので、長期にわたり水に抗菌性を付与することができる。また、少量で抗菌効果を得ることができる。
【００３７】
この発明の製氷装置においては、金属イオンは、金属電極に電圧を印加し電流を流す電気分解により水中に生成されることが好ましい。
【００３８】
このような構成にすれば、金属イオンの溶出量や溶出時間などを電気的に制御することが可能であり、水質や水量に応じた金属イオン量、あるいは所望の金属イオン量を得やすくなる。
【００３９】
この発明の製氷装置においては、金属電極へ通電する電気量を制御する制御手段を備えたことが好ましい。
【００４０】
このような構成にすれば、金属電極に印加する電圧や、電圧を印加する時間を電気的に制御することが可能であり、金属イオン量を変化させることができる。
【００４１】
この発明の製氷装置においては、金属イオンは、抗菌性を有する金属イオンを含有している金属イオン含有物質から、水中に徐放または溶解されることが好ましい。
【００４２】
このような構成にすれば、金属イオンの溶出量が減少または皆無となってしまった場合に、金属イオン含有物質を交換または再投入するだけ済み、使い勝手が良い。また、金属イオンの溶出が金属電極の電気分解の手法によらないため、電極部分へのスケール付着による金属イオン溶出障害を危惧しなくてもよい。
【００４３】
この発明に従った冷蔵庫は、上述した構成を有する製氷装置を備える。
【００４４】
この発明の冷蔵庫によれば、家庭や業務用の冷蔵庫でも衛生的な氷を得ることができる。
【発明の効果】
【００４５】
本発明によると、水が接触する製氷手段の循環経路に、不揮発性且つ抗菌性を有する物質を付与された抗菌水が供給されるため、ぬめりなどの発生を抑制でき、循環経路を清潔に保つことができる。
【発明を実施するための最良の形態】
【００４６】
本発明の製氷装置及びそれを備えた冷蔵庫の実施の形態を図に従って説明する。
【００４７】
図１は本発明の第１の実施の形態に係る製氷装置の斜視図である。製氷装置１の正面には、後述する給水タンク４を出し入れする扉１ａ、製氷された氷を取り出す取り出し口１ｂ、報知手段であるＬＥＤ１ｃが設けられており、除霜する際に発生する水分を受ける器である蒸発皿１６も正面から引き出すことが可能となっている。なお、報知手段はＬＥＤに限らず電球など他の発光手段を用いても良く、音や音声による手段であってもよい。
【００４８】
図２は製氷装置を垂直面で切断したときの概略垂直断面図である。図２に示すように、製氷装置１は、製氷を行う製氷手段２、製氷手段２が収められている製氷部である製氷室３、製氷用の水（製氷用水）を貯える着脱自在な給水タンク４、給水タンク４に連結され給水タンク４内の水を製氷手段２に供給する給水パイプ５、水に抗菌性を有する金属イオンを付与して金属イオン水を生成する金属イオン水生成手段（抗菌水生成手段）である金属イオン溶出ユニット６、製氷手段２により製氷された氷を保存し貯えておく貯氷庫７、製氷手段２で生成された氷を貯氷庫７に送る開閉部８、製氷室３と貯氷庫７とを仕切る仕切り壁１０a、製氷室３と、給水タンク４と制御部９が収められている部屋とを仕切る仕切り壁１０ｂ、水量を測定する水量測定手段である水位センサ１５、除霜（例えば、貯氷庫７や製氷室３を冷やすために使用されている熱交換器（図示せず）に付着する霜を、ヒーター等を用いて溶かすこと）する際に発生する水分を受ける器である蒸発皿１６を備えている。なお、金属イオン溶出ユニット６と水位センサ１５は、製氷手段２に設けられている。また、製氷手段２や金属イオン溶出ユニット６、開閉部８、水位センサ１５などを電気的に制御する制御部９を製氷装置１は備えており、制御部９は、マイコンやその他の電子部品から構成されている。
【００４９】
なお、金属イオンは、不揮発性且つ抗菌性を有する物質である。また、ここでいう不揮発性とは、一般的に残留性が低くない場合、すなわち、揮発性であっても残留性が高い場合も含むものとする。次亜塩素酸は残留性が低いので揮発性であり、金属イオンは気化（揮発）することはないので不揮発性である。その他の不揮発性物質としては、キトサンやカテキンがある。
【００５０】
図３は金属イオン溶出ユニット６の概略断面図である。図３（Ａ）は金属イオン溶出ユニット６の垂直断面図、図３（Ｂ）は金属イオン溶出ユニット６の水平断面図である。図３（Ａ）、図３（Ｂ）に示すように、ケース６１の内部には大きさ２０ｍｍ×５０ｍｍ、厚さ１ｍｍ程度の金属電極である銀電極６２ａ、６２ｂが約５ｍｍの距離を隔てて配設されており、銀電極６２ａ、６２ｂにはそれぞれ接続端子６３ａ、６３ｂが形成されている。接続端子６３ａ、６３ｂは例えば、配線（図示せず）により制御部９に接続されている。ケース６１には、開口部６４ａ、６４ｂが設けられており、開口部６４ａ、６４ｂからケース内に水が流出入することができる。銀電極６２ａ、６２ｂが水中に浸かった状態で、制御部９により銀電極６２ａ、６２ｂ間に電圧が印加されると、陽極側の銀電極において、Ａｇ→Ａｇ+＋ｅ-の反応が起こり、水中に銀イオン（Ａｇ+）が溶出する。銀イオン（Ａｇ+）が溶出しつづければ陽極側の銀電極は減耗していく。
【００５１】
銀電極６２ａまたは６２ｂから溶出する銀イオンは、優れた殺菌効果及び防カビ効果を発揮する。従って、銀イオン水は、抗菌性を有する抗菌水として作用する。なお、ここでいう抗菌または殺菌とは、細菌や真菌を殺菌、抗菌することだけでなく、ウイルスを不活化することも含むものとする。また、銀イオンによりウイルスが不活化されることは、「銀イオン水  Ｌ．Ａ．クリスキー著  新日本鋳鍛造協会（出版会）  １９９３年」に記載されている。
【００５２】
他方陰極側の銀電極では、Ｈ+＋ｅ-→１／２Ｈ2の反応が生じ、水素が発生するとともに、水中に含まれるカルシウムなどが炭酸カルシウムなどのカルシウム化合物のスケールとして銀電極の表面に析出する。
【００５３】
また電極の成分金属である銀の塩化物及び硫化物が表面に発生する。従って、使用が長期にわたると、炭酸カルシウムや塩化物や硫化物などのスケールが電極表面に厚く堆積し、金属イオンである銀イオンの溶出を妨げる。このため、銀イオンの溶出量が不安定になったり、電極の減耗が不均一になったりする。そこで、制御部９は、金属イオン溶出ユニット６の銀電極６２ａ、６２ｂ間の印加電圧の極性反転を周期的（例えば２０秒毎）に行うことにより、銀電極６２ａ、６２ｂへのスケールの付着および、一方の銀電極のみが消耗してしまうことを防いでいる。
【００５４】
なお、金属電極としては、銀電極以外にも、抗菌性を有する金属イオンを溶出可能な金属であれば良く、具体的には、銅、銀と銅との合金、亜鉛などが選択可能である。銀電極から溶出する銀イオン、銅電極から溶出する銅イオン、または亜鉛電極から溶出する亜鉛イオンは、優れた殺菌効果及び防カビ効果を発揮する。銀と銅とからなる合金からは銀イオンと銅イオンとを同時に溶出させることができる。また、陽極が金属イオンを溶出する電極で、陰極が金属イオンを溶出しない電極であっても良い。２枚以上（複数）の電極から構成される電極形態の場合は、すべて同じ材質の金属電極であっても良いし、いずれかが金属電極で、他の電極が非金属電極（例えば、チタン、メッキの電極、炭素電極、導電性プラスチックなど）であっても良く、イオン化しにくい金属電極（例えば、貴金属である白金，金など）であっても良い。あるいは、材質の異なる複数の金属電極（例えば、銀電極と銅電極など）から構成されていても良い。
【００５５】
続いて、製氷手段２の構成について詳しく説明する。本発明においては、製氷手段２として層状に凍らせる製氷方式を用いているが、この製氷方式の一例として流下式製氷方式がある。図４は製氷手段２である流下式製氷手段の主要部の斜視図である。また、図５は製氷手段２である流下式製氷手段の主要部の概略正面図である。
【００５６】
図４、図５の上部を上側、下部を下側として今後説明を行う。図４、図５に示すように、流下式製氷手段は、水を循環させて凍らせる方式が一般的であり、水の循環経路は、製氷板２１、貯水タンク２２、循環パイプ２３から構成されている。循環パイプ２３には水を循環させるためにポンプ２４が連結されている。なお、貯水タンク２２は、内側が見えるように切り欠いて描いてある。貯水タンク２２には、金属イオン溶出ユニット６と水位センサ１５が設けられている。なお、貯水タンク２２には、上限水量（例えば、１回分の製氷に必要な水量の３倍）までしか貯留できないように、水量調整手段である溢水口２２ａが設けられており、上限水量を超えた水は、溢水口２２ａから排水管２６を介して蒸発皿１６に排水されるようになっている。さらに、貯水タンク２２には、排水口２２ｂが設けられており、排水管２６に連結されている。排水口２２ｂと排水管２６の間には電磁弁３０が設けられており、前述した制御部９により開閉が制御される。なお、電磁弁３０は通常は閉じられており、排水動作を行う際に開かれる。なお、排水口２２ｂから排水された水は、排水管２６を介して蒸発皿１６に排水される。
【００５７】
製氷板２１は、金属の板であるステンレス材から構成されており、その表面である製氷面には、凹部２１ｂと、山型の凸部２１ａとが交互に複数形成され、製氷される氷を仕切るために複数の仕切り板２１ｃが、製氷板２１の製氷面上を上側から下側に向かって水が流れる方向（垂直方向）と平行になるように等間隔で並列に設けられており（本実施例では４枚）、仕切り板２１ｃに囲まれた凹部２１ｂに氷が形成される。貯水タンク２２の上部には製氷板２１が垂直に設置されている。循環パイプ２３の一端側は貯水タンク２２から水を吸い込める位置に配置されており、他端側は製氷板２１の上部であって、製氷板２１の上部から製氷板２１の製氷面に水を流すことができる位置に設けられ、製氷板２１の製氷面に水を流下させるための多数の散水孔２３ａが設けられている。貯水タンク２２には給水パイプ５から水が供給される。また、製氷板２１の裏面には、配管２５が凹部２１ｂの裏面を通るように蛇行状に配設されている。この配管２５が製氷板２１の凹部２１ｂに接触している部分周辺の製氷面が冷却され、凹部２１ｂに氷２８が形成される。この配管２５には、冷媒ガスが流れるようになっており、この冷媒ガスにより凹部２１ｂでの製氷や、凹部２１ｂからの離氷を行う。このように、氷２８のブロック分けが可能となる。これは、製氷板の材質を熱伝導性の良くないステンレス材を用いることで製氷板２１全体が均一に冷却されるのではなく、凹部２１ｂの近傍のみが氷点以下になるからである。もちろん、長期間にわたり製氷板２１を冷却し続ければ、凹部２１ｂ以外の場所も氷点以下になる可能性があるが、本実施例では、後述するように、ホットガス（高温の冷媒）を配管２５に流して製氷板２１を暖めて離氷を行うため、長期間にわたり製氷板２１が冷却され続けることはない。
【００５８】
なお、製氷板２１は、熱伝導性の低い材質（例えば、非金属であるプラスチック）からなる第１の製氷板と、熱伝導性の高い材質（例えば、金属）からなる第２の製氷板とを交互に配置したものとしてもよい。このような構成であっても、熱伝導性の高い第２の製氷板の部分に氷ができ、熱伝導性の低い第１の製氷板の部分には氷ができないため、ブロック分けされた氷が製氷される。
【００５９】
この冷媒ガスは図６に示す冷凍サイクル１００内を流れる。図６の冷凍サイクル１００は、冷媒が流れる配管２５、製氷板２１の裏面に接触している配管２５（以降は製氷板２１と表現する）、冷媒を圧縮する圧縮手段である圧縮機１０１、冷媒の流れる方向を変更する四方弁１０２、冷媒の熱を外気の熱と交換する熱交換器１０３、膨張手段である膨張弁１０４とから構成される。冷媒としては、例えば、ノンフロン冷媒であるＨＣ冷媒（Ｒ６００ａ）を使用することができる。
【００６０】
製氷板２１の製氷面である凹部２１ｂに氷を形成する場合（製氷時）における冷凍サイクル１００内の冷媒の流れは、次の通りである。冷媒は、圧縮機１０１で圧縮され「高温・高圧の気体」となり、四方弁１０２を通った後、熱交換器１０３で外気と熱交換を行い「低温・高圧の液体」となる。続いて膨張弁１０４を通過することで「低温・低圧の液体」となり、製氷板２１と熱交換を行うことで「低温・低圧の気体」となり、四方弁１０２を通過して圧縮機１０１へと戻ってくる。
【００６１】
また、製氷板２１の製氷面である凹部２１ｂに形成された氷を外す場合（離氷時）における冷凍サイクル１００内の冷媒の流れは次の通りである。冷媒は、圧縮機１０１で圧縮され「高温・高圧の気体」となり、四方弁１０２を通った後、製氷板２１と熱交換を行うことで「低温・高圧の液体」となる。続いて膨張弁１０４を通過することで「低温・低圧の液体」となり、熱交換器１０３で外気と熱交換を行い「低温・低圧の気体」となり、四方弁１０２を通過して圧縮機１０１へと戻ってくる。
【００６２】
続いて、製氷装置１の動作について説明する。図７は製氷装置の動作を示すフローチャートである。S１００から製氷装置の動作が開始される。Ｓ１０１にて給水タンク４が製氷装置１にセットされているかを確認する。なお、確認方法として本実施例では、給水タンク４がセットされていればＯＮ、セットされていなければＯＦＦするスイッチ（図示せず）により確認している。セットされていれば（Ｙｅｓであれば）Ｓ１０２へ移行する。セットされていなければ（Ｎｏであれば）、Ｓ１０１に戻る。
【００６３】
Ｓ１０２にて貯氷庫７が満氷になっていないかを確認する。ここで満氷とは貯氷庫７が氷で満タンになっていて、それ以上氷を貯氷できない状態のことである。また、非満氷とは貯氷庫７が満タンになっておらず、まだ氷を貯氷できる状態のことである。満氷であるか、非満氷であるかの確認は、例えば、貯氷庫７内に重量センサ（図示せず）を設けておき、蓄えられている氷の重量を測定し、その重量が所定値以上になれば、満氷であると判断することができる。もちろん、他の手段を用いて満氷であることを判定しても良い。非満氷であれば（Ｙｅｓであれば）Ｓ１０３に移行する。満氷であれば（Ｎｏであれば）後述するＳ３００に移行する。
【００６４】
Ｓ１０３にて給水タンク４から製氷手段２の貯水タンク２２に給水を開始する。この給水は図示しない給水用ポンプにより行われる。なお、このとき給水される水量は、１回の製氷に最低限必要な水量とする。次にＳ１０４に移行する。Ｓ１０４にて、水位センサ１５が出力する水位を示す信号（例えば、０〜５Ｖの電圧）を制御部９が読み取り、貯水タンク２２に給水されている水の水位を判断する。次に、Ｓ１０５に移行し、水位が所定値より大きいかを確認する。水位が所定値未満であれば、Ｓ１０３に戻り、給水を続ける。水位が所定値以上であれば（Ｙｅｓであれば）、給水を停止してＳ１０６に移行する。
【００６５】
Ｓ１０６にて制御部９は、金属イオン溶出ユニット６の銀電極６２ａ、６２ｂに電圧を印加して一定電流（本実施例では約２９ｍＡ）を流し、上述したようにして銀電極６２ａ、６２ｂを電気分解して貯水タンク２２内に貯留されている水に銀イオンを付与し、金属イオン水である銀イオン水を生成する。
【００６６】
次に、Ｓ１０７に移行し、制御部９は、第１所定時間（本実施例では約０．６秒）が経過したかを確認する。この第１所定時間とは、所望濃度の銀イオンを溶出するのに必要な時間のことであり、銀電極６２ａ、６２ｂに電圧を印加して一定電流を流し始めたときからカウントを開始する。なお、本実施例での第１所定時間は、濃度約９０ｐｐｂの銀イオン水を得るために必要時間であり、次のように実験により求めた。まず、貯水タンク２２内に貯留されている水量を、水位の所定値から算出する。例えば、貯水タンク内部形状が底面２０ｃｍ×５ｃｍの長方形で高さが５ｃｍの長方体であり、給水タンク４から供給される水の水位の所定値が２ｃｍであるとすると、水量は２０ｃｍ×５ｃｍ×２ｃｍ＝２００ｃｍ3（２００ｃｃ）となる。水量が２００ｃｍ3（２００ｃｃ）の場合、例えば、約２９ｍＡの電流を銀電極６２ａ、６２ｂ間に約０．６秒間流すことで約９０ｐｐｂの銀イオン水を得ることができる。
【００６７】
また、銀イオンの溶出量は低電流域を除いて、電気量（Ｃ）＝一定電流値（Ａ）×時間（sec）に概ね比例する。よって、電流値が一定であれば、電圧の印加時間を調節することで、所望濃度の銀イオン水を得ることができる。このように、銀電極６２ａ、６２ｂに一定電流を所定時間流すことにより、所望の銀イオン濃度を得ることができる。なお、様々な濃度の銀イオン水を得ることができるように、電流値と時間の組合せを、実験により予め求めておくことが好ましい。さらに好ましくは、電気量を制御する制御手段として、濃度切替え手段を設けておけば、ユーザーが自由に銀イオン濃度を選択できる。濃度切替え手段としては、ロータリースイッチやスライドスイッチなどがある。このスイッチを切り替えることで制御部９が電流値と時間の組合せである電気量を切り替えるようにすればよい。第１所定時間が経過すれば（Ｙｅｓであれば）、Ｓ１０８に移行する。第１所定時間が経過していなければ（Ｎｏであれば）第１所定時間の経過を待つ。
【００６８】
Ｓ１０８にて、制御部９は、金属イオン溶出ユニット６の銀電極６２ａ、６２ｂへの電圧の印加を停止して電流を停止する。
【００６９】
そして、Ｓ２００に移行し、制御部９は製氷手段２を動作させて、銀イオン水を製氷する。
【００７０】
続いて、Ｓ２００からの流下式製氷手段の動作について詳しく説明する。なお、流下式製氷手段が設置されている製氷室３の室内温度は水が凍らない温度（例えば５℃）に設定されている。
【００７１】
Ｓ２００からの動作は、図８の製氷手段２の製氷動作を示すフローチャートを用いて説明する。Ｓ２０１にて、制御部９はポンプ２４を駆動させる。ポンプ２４は、給水タンク２２の銀イオン水を循環パイプ２３へと送る。循環パイプ２３へ送られた銀イオン水は、図５の矢印に示すように、循環パイプ２３の散水孔２３ａから製氷板２１の製氷面の上部（例えば、最も上側にある凸部２１ａまたは凹部２１ｂ）へ向かって、製氷面に沿って均一に流れるように射出される。射出された銀イオン水は、製氷板２１の製氷面上を凸部２１ａ、凹部２１ｂを介して下側に向かって流れる。
【００７２】
続いて、Ｓ２０２に移行し、制御部９は冷凍サイクル１００を製氷時の冷媒の流れとなるように四方弁１０２を切り替える。この場合、製氷板２１にて熱交換が行われる際の冷媒温度は−２０℃近くになっており、製氷板２１も充分冷やされている。従って、製氷板２１の製氷面である凹部２１ｂを流れる銀イオン水のうち製氷板に直接触れている銀イオン水が薄く凍る。このとき、銀イオン水に含まれていた銀イオンや水以外の物質は、氷の結晶から追い出され、その氷の上を順次流れている銀イオン水に溶け込み、一緒に流れていく。製氷板２１を通った銀イオン水は貯水タンク２２に集められ、再びポンプ２４により循環パイプ２３を介して製氷板２１へと送られる。そして、銀イオン水は先に製氷面上に薄く凍った氷の上に層状に凍っていく。このように層状とは、製氷板２１の製氷面上を流れる銀イオン水が、製氷面において、徐々に凍っていき、製氷される氷の厚みが増していく（成長していく）ことを意味している。例えば、この現象はつららが徐々に成長していくことと同じである。すなわち、氷の結晶が徐々に成長していくのである。
【００７３】
このように、製氷板２１の製氷面である凹部２１ｂを流れる銀イオン水は層状に次々と積層しながら凍っていく。このとき、銀イオンやその他水中に含まれる水以外の物質を追い出しながら凍っていくので、銀イオンやその他水中に含まれる物質をほとんど含まない氷２８が形成される。これは、氷が凍るときには純粋な水から凍っていき、この氷の結晶格子には他の物質が入り込むことができないという氷の性質によるものである。なお、追い出された銀イオンやその他水中に含まれる物質は、製氷面上を流れても凍らなかった銀イオン水に溶け込んでいる。従って、この銀イオン水にも銀イオンが含有されているので、貯水タンク２２や循環パイプ２３、ポンプ２４も殺菌・抗菌されることになり、清潔に保つことができる。
【００７４】
続いて、Ｓ２０３に移行する。Ｓ２０３にて、制御部９は、第２所定時間（本実施例では約３０分であるが、これに限らない）が経過したかを確認する。第２所定時間とは、製氷に要する時間のことであり、製氷時の冷媒の流れとなるように四方弁１０２を切り替えたときからカウントを開始する。第２所定時間が経過すれば（Ｙｅｓであれば）Ｓ２０４に移行する。第２所定時間が経過していなければ（Ｎｏであれば）第２所定時間の経過を待つ。
【００７５】
Ｓ２０４にて、制御部９はポンプ２４を停止する。Ｓ２０５に移行し、開閉部８を開口し、製氷室３と貯氷庫７とを連通する。続いて、Ｓ２０６にて、制御部９は冷凍サイクル１００を離氷時の冷媒の流れとなるように四方弁１０２を切り替える。
【００７６】
続いて、Ｓ２０７移行し、第３所定時間（本実施例では約３分であるが、これに限らない）が経過したかを確認する。第３所定時間とは、離氷に要する時間のことであり、離氷時の冷媒の流れとなるように四方弁１０２を切り替えたときからカウントを開始する。第３所定時間が経過すれば、Ｓ２０８に移行する。第３所定時間が経過していなければ、第３所定時間が経過するのを待つ。このとき、製氷板２１にて熱交換が行われる際の冷媒温度は５０℃近くになっており、氷２８は製氷板２１の製氷面である凹部２１ｂと接触している部分が融け、製氷板２１から離れる。氷２８は開閉部８を通り貯氷庫７に移動し、貯氷される。
【００７７】
Ｓ２０８にて、制御部９は、開閉部８を閉口し、製氷室３と貯氷庫７とを否連通とし、Ｓ２００のルーチンから抜け、図７のフローチャートのＳ１０１に戻る。
【００７８】
Ｓ１０２にて満氷であれば（Ｎｏであれば）Ｓ３００に移行する。Ｓ３００の動作は、図９の製氷手段２の洗浄動作を示すフローチャートを用いて説明する。Ｓ３０１にて満氷タイマのカウント（本実施例では０からカウントアップする）を開始し、Ｓ３０２に移行する。なお、満氷タイマは制御部９に設けられている。
【００７９】
Ｓ３０２にて貯氷庫７が満氷であるかを確認する。満氷でなければ（Ｎｏであれば）Ｓ３０９に移行する。満氷であれば（Ｙｅｓであれば）Ｓ３０３に移行する。
【００８０】
Ｓ３０３にて満氷タイマのカウント値が、満氷タイマ≧第４所定時間となっているかを確認する。第４所定時間とは、製氷を行わずに循環経路中の抗菌水を循環させる動作を行う間隔のことである。例えば、第４所定時間が２４時間であったとすると、製氷を行わずに循環経路中の抗菌水を循環させる動作は２４時間毎に行われることになる。満氷タイマ≧第４所定時間でなければ（Ｎｏであれば）Ｓ３０２に戻る。満氷タイマ≧第４所定時間であれば（Ｙｅｓであれば）Ｓ３０４に移行する。
【００８１】
Ｓ３０４にて水位が所定値以上であるかを確認する。水位が所定値未満であれば（Ｎｏであれば）、Ｓ３１２に移行する。水位が所定値以上であれば（Ｙｅｓであれば）、Ｓ３０５に移行する。
【００８２】
Ｓ３０５にてポンプ２４を駆動し、Ｓ３０６に移行する。Ｓ３０６にて第５所定時間（本実施例では約５分であるが、これに限らない）が経過したかを確認する。ここで第５所定時間とは、循環経路内の抗菌水を循環させる時間のことであり、Ｓ３０５でポンプ２４を駆動させたときからカウントを開始する。第５所定時間の間、圧縮機１０１が停止した状態（製氷や離氷が行われない状態）で、循環経路中に銀イオン水を循環させて、循環経路内の抗菌・殺菌を行う。第５所定時間経過していなければ（Ｎｏであれば）Ｓ３０６に戻る。第５所定時間経過していれば（Ｙｅｓであれば）Ｓ３０７に移行する。Ｓ３０７にてポンプ２４を停止し、Ｓ３０８に移行する。Ｓ３０８にて満氷タイマをクリア（カウント値を０に戻す）し、再度満氷タイマのカウントを開始し、Ｓ３０２に戻る。
【００８３】
Ｓ３０４にて水位が所定値未満であれば、Ｓ３１２に移行する。Ｓ３１２にて給水タンク４から製氷手段２の貯水タンク２２への給水を開始する。この給水は図示しない給水用ポンプにより行われる。なお、このとき給水される水量は、１回の製氷に最低限必要な水量があれば十分である。次にＳ３１３に移行する。
【００８４】
Ｓ３１３にて水位が所定値以上であるかを確認する。水位が所定値未満であれば（Ｎｏであれば）、Ｓ３１７に移行する。水位が所定値以上であれば（Ｙｅｓであれば）、Ｓ３１４に移行する。Ｓ３１４にて給水タンク４から製氷手段２の貯水タンク２２への給水を停止し、Ｓ３１５へ移行する。Ｓ３１５にてポンプ２４を駆動し、Ｓ３１６に移行する。
【００８５】
Ｓ３１６にて銀電極６２ａ、６２ｂに電圧を印加して一定時間の間、一定電流を流す。例えば、この一定時間は約０．６秒、一定電流は約２９ｍＡである。次にＳ３０６に移行し、前述したＳ３０６、Ｓ３０７、Ｓ３０８の動作を行った後、Ｓ３０１に戻る。
【００８６】
Ｓ３１３にて水位が所定値未満であれば、Ｓ３１７に移行する。Ｓ３１７にて第６所定時間（本実施例では約５分であるが、これに限らない）が経過したかを確認する。ここで第６所定時間とは、給水タンク４から貯水タンク２２への給水を継続する時間のことであり、Ｓ３１２で給水タンク４から製氷手段２の貯水タンク２２への給水を開始したときからカウントを開始する。第６所定時間が経過しても水位が所定値以上にならないということは、給水タンク４内に水がない、あるいは給水タンク４から貯水タンク２２への給水が何らかの原因（例えば、給水用ポンプの故障や給水パイプ５の目詰まりなど）のために上手くいかないことが考えられる。第６所定時間経過していなければ（Ｎｏであれば）Ｓ３１３に戻る。第６所定時間経過していれば（Ｙｅｓであれば）Ｓ３１８に移行する。
【００８７】
Ｓ３１８にて給水タンク４から製氷手段２の貯水タンク２２への給水を停止し、Ｓ３１９に移行する。Ｓ３１９にて満氷タイマをクリア（カウント値を０に戻す）し、Ｓ３２０に移行する。Ｓ３２０にてＬＥＤ１ｃを点灯し、Ｓ３２１へ移行する。Ｓ３２１にて本ルーチンから抜けて、図７のＳ１０１に戻る。
【００８８】
Ｓ３０２にて満氷でなければ（Ｎｏであれば）Ｓ３０９に移行する。Ｓ３０９にて満氷タイマをクリア（カウント値を０に戻す）し、Ｓ３１０移行する。Ｓ３１０にて、排水動作を行う。排水動作とは、電磁弁３０を開き、貯水タンク２２内に残っている水や抗菌水を排水口２２ｂから排出するものである。排水が完了すると電磁弁３１を閉じ、Ｓ３１１に移行する。Ｓ３１１にて本ルーチンから抜けて、図７のＳ１０１に戻る。
【００８９】
以上のような構成により、不揮発性且つ抗菌性を有する物質により、抗菌水が接触する循環経路が殺菌され、循環経路を清潔に保つことができる。また、循環経路中に供給される水にかびや細菌が混入していたとしても、不揮発性且つ抗菌性を有する物質によりその水は抗菌水となるので、抗菌水中でのカビや細菌の増殖を抑制することができ、ぬめりの原因を根本的に排除することができる。また、給水タンク４内に金属イオン溶出ユニット６を設けていないため、給水タンク４内の清掃時に、金属イオン溶出ユニット６が邪魔にならず給水タンク４の内部の清掃がしやすい。
【００９０】
また、貯氷庫７が満氷である場合は、製氷手段２にて製氷が行われないため、循環経路中にて抗菌性を有する物質が存在しない部分で、カビや細菌の増殖が危惧されるが、所定時間毎に抗菌水を循環することで、循環経路中に抗菌性を有する物質を存在させることができる。
【００９１】
さらに、貯水タンク２２に貯水されている抗菌水の水量が、ポンプ２４の種類や性能などに見合った量でない場合には、ポンプ２４の空回りなどにより抗菌水の循環を行えないこともありえるが、そのような場合、抗菌水の補充を行うことにより、このような事態が発生する可能性を低減することができる。
【００９２】
貯水タンク２２に貯水されている水の水位が所定値に達しない場合など水の循環ができないときに報知手段であるＬＥＤ１ｃを点灯することで、循環経路の殺菌・抗菌ができないことを報知でき、給水タンク４への給水をユーザーに促すことができる。あるいは、給水タンク４から貯水タンク２２への給水が、なんらかの不具合（例えば、給水用ポンプの故障や給水パイプ５の目詰まりなど）により上手くいかない場合にもＬＥＤ１ｃが点灯するので、エラー報知としても機能することができる。
【００９３】
さらにまた、抗菌水による循環経路の抗菌が行われた後に製氷する際に、貯水タンク２２にある古い抗菌水を排水し、新しい抗菌水を貯水タンク２２に補充することにより、新しい抗菌水にて製氷を行うことができる。
【００９４】
また、抗菌性を有する金属イオンである銀イオンは不揮発性であるので、長期にわたり水に抗菌性を付与することができ、少量で抗菌効果を得ることができる。金属電極に電圧を印加し電流を流す電気分解により水中に銀イオンを生成するので、銀イオンの溶出量や溶出時間などを電気的に制御することが可能であり、水質や水量に応じた銀イオン量、あるいは所望の銀イオン量を得やすくなる。
【００９５】
本実施例では、上述したような製氷板２１の製氷面に水を流す流下式製氷方法により製氷を行ったが、冷却された製氷板上を流れる銀イオン水を層状に凍らせる方式であれば構わない。たとえば、ポンプなどで液体を水平に流水させる方式や、製氷板を斜めにして凍らせる方式などがある。なお、製氷板２１の製氷面は、フラットや、波形など他の形状であってもよい。また、他の方式の流下式製氷方法や、噴射方式、セル方式の製氷方法などの水を流動させながら製氷する既知の手段を用いることも可能である。
【００９６】
また、貯水タンク２２内の水量は、貯水タンク２２に貯水された水の重量を重量センサなどにより求めてもよい。例えば、貯水タンク２２単体の重さが１００ｇである場合に、水を入れた状態の貯水タンク２２の重量が３００ｇであったとすれば、水量は２００ｇ（２００ｃｍ3）であると求めることができる。そしてこの場合、例えば、図７のフローチャートにおいては、Ｓ１０４にて貯水タンク２２の重量を測定し、Ｓ１０５にて貯水タンク２２の重量が所定値（例えば、貯水タンク２２の重量+αである３００ｇ）より大きい場合はＳ１０６に進み、所定値以下であればＳ１０３に戻るようにすればよい。
【００９７】
なお、製氷が終了したかどうかは、サーミスタなどを使用して製氷板の温度を検知し、所定温度以下になれば製氷終了と判断する一般的な方法を用いて確認しても良い。
【００９８】
また、満氷タイマのカウント方法は、０からカウントアップして所定値と比較する方法ではなく、カウントダウンする方法を用いても良い。
【００９９】
続いて、銀イオンの抗菌効果について説明する。貯水タンク２２に貯留された水に銀イオンが付与された場合、その濃度を９０ｐｐｂ程度すると、１２日経過しても一般細菌は確認されず、高い透明度を維持していた。一方、銀イオンを付与していない水道水は１２日後に一般細菌数が７．７×１０5個／ｍｌ確認され若干黄濁していた。よって、９０ｐｐｂの銀イオン水により給水タンク４に貯留した水を１０日以上衛生的に保つことができる。ただし、銀イオンの濃度はこれに限らず、もっと濃度を上げても構わないが、９００ｐｐｂ以下にすることが好ましい。これは、濃度が高すぎると銀イオンが水中に存在する塩化物イオンと反応し、塩化銀となり沈殿が生じる可能性があるためである。
【０１００】
貯水タンク２２の上限水量を超える銀イオン水を溢水口２２ａから排水管２６を介して蒸発皿１６に排水するようにしたことや、電磁弁３０を開いて排水口２２ｂから蒸発皿１６に排水するようにしたことにより、蒸発皿１６の水に銀イオンが付与されるので、蒸発皿１６での雑菌やカビの発生・繁殖を防ぐことができる。
【０１０１】
また、製氷を繰り返す内に貯水タンク２２内の水には、氷が凍るときに排出される銀イオンが濃縮されていくため銀イオン水の濃度が高くなり、貯水タンク２２に塩化銀が沈殿する恐れもあるが、貯水タンク２２内の水を排水口２２ｂから完全に排水できるようにしたことにより、塩化銀が貯水タンク２２内に沈殿してしまう可能性を低減することができる。なお、貯水タンク２２内の銀イオン水は、排水口２２ｂから排水する方法に替えて、ポンプを使って排水するような構造としてもよい。
【０１０２】
また、貯水された水を殺菌するために次亜塩素酸を用いた場合、次亜塩素酸を含有する水の次亜塩素酸は揮発しやすいので、揮発するにつれて抗菌効果の効力が衰えてくると考えられる。これに対し銀イオン水の銀イオンは不揮発性であり、低濃度でも持続的な抗菌効果を得ることができるので、長期間にわたり製氷が行われない場合においても、製氷用水自身や製氷用水が接触する部分を、清潔に保つことができる。また、製氷用水が接触する部分に抗菌性樹脂などを用いる必要がなくなるため、コスト削減にもつながる。
【０１０３】
次に、第１の実施の形態の第１の変形例について説明する。図１０は本発明の第１の実施の形態に係る流下式製氷手段の主要部の第１の変形例の斜視図である。説明の便宜上、前述の図１から図９に示す実施形態と同一の部分は同一の符号を付してある。本実施例においては、金属イオン溶出ユニット６を循環パイプ２３のポンプ２４と散水孔２３ａとの間に配設している。その他の部分については前述した実施の形態と同じである。
【０１０４】
このように、金属イオン溶出ユニット６を循環パイプ２３に設けることにより、貯水タンク２２内の水をポンプ２４にて循環させる場合、金属イオン溶出ユニット６内を確実に水が通過するようになるため、銀イオン（金属イオン）を水に確実に付与することができる。また、循環経路を流れる水中の銀イオン（金属イオン）濃度分布のばらつきを低減することができる。
【０１０５】
なお、金属イオン溶出ユニット６を、給水タンク４と給水パイプ５とからなる給水経路中に設ける構造としてもよい。このようにすることで、循環経路中に加えて、給水経路中の一部または全体をも殺菌・抗菌することができる。例えば、給水タンク４内に金属イオン溶出ユニット６が設けられた場合、給水タンク４内の水に銀イオン（金属イオン）を付与することになるので、給水タンク４と給水パイプ５と循環経路中を殺菌・抗菌することができる。また、給水パイプ５に金属イオン溶出ユニット６が設けられた場合には、給水パイプ５と循環経路中を殺菌・抗菌することができる。この場合、給水タンク４内に金属イオン溶出ユニット６が設けられていないため、給水タンク４内の清掃時に、金属イオン溶出ユニット６が邪魔にならないので、ユーザーは給水タンク４の内部の清掃を容易に行うことができる。
【０１０６】
次に、第１の実施の形態の第２の変形例について説明する。図１１は本発明の第１の実施の形態に係る流下式製氷手段の主要部の第２の変形例の斜視図、図１２は金属イオン溶出ユニット６ａの概略断面図である。図１２（Ａ）は金属イオン溶出ユニット６ａの垂直断面図であり、図１２（Ｂ）は金属イオン溶出ユニット６ａの水平断面図である。説明の便宜上、前述の図１から図１０に示す実施形態と同一の部分は同一の符号を付してある。
【０１０７】
図１２（Ａ）、図１２（Ｂ）に示すように、大きさ２０ｍｍ×５０ｍｍ、厚さ１ｍｍ程度の金属電極である銀電極６２ａ、６２ｂが約５ｍｍの距離を隔てて、ゴムなどの水密性のある材質から成るユニット基板６５に配設されている。また、銀電極６２ａ、６２ｂにはそれぞれ接続端子６３ａ、６３ｂが形成されており、接続端子６３ａ、６３ｂの部分がユニット基板６５を貫通するように配設されている。ユニット基板６５を貫通する接続端子６３ａ、６３ｂは例えば、配線（図示せず）により制御部９に接続されている。
【０１０８】
一方、図１１に示す流下式製氷手段の貯水タンク２２の壁面には金属イオン溶出ユニット６ａを貯水タンク２２の外側から挿着するためのユニット差込口２２ｃが設けられている。このユニット基板６ａは、貯水タンク２２の外側から内部に向けてユニット差込口２２ｃに装着する。なお、ユニット差込口２２ｃは、ユニット基板６５を挿入した際に、水密になるように形成されている。このようにすることで、金属イオン溶出ユニット６ａを取り替える場合に、貯水タンク２２内から金属イオン溶出ユニット６ａを取り出す必要がなく、貯水タンク２２の外側から取り替えることができる。なお、金属イオン溶出ユニット６ａをユニット差込口２２ｃに取り付ける方法としては、他に例えば次のようなものがある。ユニット基板６５を樹脂で構成し、ユニット差込口２２ｃと接触する部分にねじ山を切り、ねじで固定する。あるいは、スナップフィットを用いて固定する。このようにして取り付ける場合、水密性を保つため、オーリング（Ｏリング）などを用いることが好ましい。
【０１０９】
次に、本発明の第２の実施の形態について説明する。図１３は第２の実施の形態に係る製氷装置を垂直面で切断したときの概略垂直断面図である。説明の便宜上、前述の図１から図１２に示す第１の実施形態と同一の部分は同一の符号を付してある。貯水タンク２２に供給された水に抗菌性を有する物質である金属イオンを付与する別の手段として、貯水タンク２２内に水に浸漬すると金属イオンを溶出する物質である金属イオン含有物質１３を使用している。その他の部分は第１の実施の形態と同様である。
【０１１０】
金属イオン含有物質１３の具体例としては、金属イオンを担持しているゼオライト、シリカゲル、ガラス、りん酸カルシウム、りん酸ジルコニウム、ケイ酸塩、酸化チタン、ウィスカー、セラミックスなど、またはこれらの物質を含む樹脂や繊維などである。これらの金属イオン含有物質１３は、水に浸漬することにより金属イオンが水へと徐放または溶解できる構造を持つ物質である。
【０１１１】
また、このような構造であれば、前述した第１の実施の形態のように金属イオンを溶出するための電気的制御が必要ではなくなるため、故障の可能性が低減するとともに、部品点数が減るのでコスト削減が図れる。また、金属イオンの溶出が金属電極の電気分解の手法によらないため、電極部分へのスケール付着による金属イオン溶出障害を危惧しなくてもよい。また、金属イオン溶出物質１３は貯水タンク２２内に浸漬するだけなので、金属イオンの溶出量が減少、またはなくなってしまった場合に、金属イオン含有物質１３を交換するか、または再投入するだけ済むので、使い勝手が良い。なお、金属イオン含有物質１３が含有する金属イオンとしては、抗菌性を有する金属イオンであれば良く、具体的には、銀イオン、銅イオン、亜鉛イオンなどが選択可能である。
【０１１２】
金属イオン含有物質１３を用いる場合、貯水タンク２２への給水を停止した後、一定時間経過（例えば３０分）してから次のステップに移行するようにするのが好ましい。この一定時間（溶出待機時間）は、殺菌または抗菌するのに充分な濃度の銀イオンが、金属イオン溶出物質１３から溶出されるのに必要な時間のことである。例えば、図９のS３１６にて「銀電極に一定時間一定電流を流す」ことに替えて、溶出待機時間が経過するのを待ってからS３０６へ移行する。また、このときのS３０６での第５所定時間は、S３１６からS３０６へ移行した時から、カウントを開始すればよい。また、例えば、図７においては、S１０６からS１０８に替えて、溶出待機時間が経過するのを待ち、その後、S２００へ移行するようにすればよい。
【０１１３】
また、第１の実施の形態と、第２の実施の形態では、給水タンク４と貯水タンク２２とを別体として設けているが、一体化して、貯水タンク２２が給水タンク４を兼用するようにしても良い。このようにすれば、給水タンク４から貯水タンク２２への給水を行うための給水経路や給水用ポンプ及び給水用ポンプを駆動するための電気部品などが必要なくなるので、故障が発生する可能性を低減でき、コストの削減にもつながる。
【０１１４】
次に、本発明の第３の実施の形態について説明する。図１４は、本発明の第３の実施の形態に係る製氷装置の動作を示すフローチャートである。説明の便宜上、前述の第１から第２の実施形態と同一の部分は同一の符号を付してある。また、図４と図５に示す製氷手段２と、図３に示す金属イオン溶出ユニット６を用いて説明する。S４００から製氷装置の動作が開始される。Ｓ４０１にて給水タンク４が製氷装置１にセットされているかどうかを確認する。セットされていなければ（Ｎｏであれば）、Ｓ４０１に戻る。セットされていれば（Ｙｅｓであれば）、Ｓ４０２へ移行する。
【０１１５】
Ｓ４０２にて貯氷庫７が満氷になっていないかを確認する。非満氷であれば（Ｙｅｓであれば）Ｓ４０３に移行する。満氷であれば（Ｎｏであれば）後述するＳ５００に移行する。
【０１１６】
Ｓ４０３にて給水タンク４から製氷手段２の貯水タンク２２に給水を開始する。この給水は図示しない給水用ポンプにより行われる。なお、このとき給水される水量は、１回の製氷に最低限必要な水量とする。次にＳ４０４に移行する。Ｓ４０４にて、水位センサ１５が出力する水位を示す信号（例えば、０〜５Ｖの電圧）を制御部９が読み取り、貯水タンク２２に給水されている水の水位を判断する。次に、Ｓ４０５に移行し、水位が所定値より大きいかを確認する。水位が所定値未満であれば、Ｓ４０３に戻り、給水を続ける。水位が所定値以上であれば（Ｙｅｓであれば）、給水を停止してＳ２００に移行する。
【０１１７】
そして、Ｓ２００にて、制御部９は製氷手段２を動作させて、銀イオン水を製氷する。なお、Ｓ２００の動作は前述した内容と同じであるためここでは説明を省略する。Ｓ２００のルーチンから抜けるとＳ４０１に戻る。
【０１１８】
Ｓ４０２にて満氷であれば（Ｎｏであれば）Ｓ５００に移行する。Ｓ５００から動作は、図１５の第３の実施の形態に係る製氷手段の洗浄動作を示すフローチャートを用いて説明する。Ｓ５０１にて満氷タイマのカウント（本実施例では０からカウントアップする）を開始し、Ｓ５０２に移行する。
【０１１９】
Ｓ５０２にて貯氷庫７が満氷であるかを確認する。満氷でなければ（Ｎｏであれば）Ｓ５１０に移行する。満氷であれば（Ｙｅｓであれば）Ｓ５０３に移行する。
【０１２０】
Ｓ５０３にて満氷タイマのカウント値が、満氷タイマ≧第４所定時間となっているかを確認する。第４所定時間とは、製氷を行わずに循環経路中の抗菌水を循環させる動作を行う間隔のことである。満氷タイマ≧第４所定時間でなければ（Ｎｏであれば）Ｓ５０２に戻る。満氷タイマ≧第４所定時間であれば（Ｙｅｓであれば）Ｓ５０４に移行する。
【０１２１】
Ｓ５０４にて水位が所定値以上であるかを確認する。水位が所定値未満であれば（Ｎｏであれば）、Ｓ５１３に移行する。水位が所定値以上であれば（Ｙｅｓであれば）、Ｓ５０５に移行する。
【０１２２】
Ｓ５０５にてポンプ２４を駆動し、Ｓ５０６に移行する。Ｓ５０６にて銀電極６２ａ、６２ｂに電圧を印加して一定時間の間、一定電流を流す。例えば、この一定時間は約０．６秒、一定電流は約２９ｍＡである。Ｓ５０６での動作を終了すると、Ｓ５０７に移行する。
【０１２３】
Ｓ５０７にて第５所定時間（本実施例では約５分であるが、これに限らない）が経過したかを確認する。ここで第５所定時間とは、循環経路内の抗菌水を循環させる時間のことであり、Ｓ５０５でポンプ２４を駆動させたときからカウントを開始する。第５所定時間の間、圧縮機１０１が停止した状態（製氷や離氷が行われない状態）で、循環経路中に銀イオン水を循環させて、循環経路内の抗菌・殺菌を行う。第５所定時間経過していなければ（Ｎｏであれば）Ｓ５０７に戻る。第５所定時間経過していれば（Ｙｅｓであれば）Ｓ５０８に移行する。Ｓ５０８にてポンプ２４を停止し、Ｓ５０９に移行する。Ｓ５０９にて満氷タイマをクリア（カウント値を０に戻す）し、再度満氷タイマのカウントを開始し、Ｓ５０２に戻る。
【０１２４】
Ｓ５０４にて水位が所定値以下であれば、Ｓ５１３に移行する。Ｓ５１３にて給水タンク４から製氷手段２の貯水タンク２２への給水を開始する。この給水は図示しない給水用ポンプにより行われる。なお、このとき給水される水量は、１回の製氷に最低限必要な水量があれば十分である。次にＳ５１４に移行する。
【０１２５】
Ｓ５１４にて水位が所定値以上であるかを確認する。水位が所定値未満であれば（Ｎｏであれば）、Ｓ５１６に移行する。水位が所定値以上であれば（Ｙｅｓであれば）、Ｓ５１５に移行する。Ｓ５１５にて給水タンク４から製氷手段２の貯水タンク２２への給水を停止し、Ｓ５０５へ移行する。この後、前述したＳ５０５からＳ５０９の動作を行った後、Ｓ５０２に戻る。
【０１２６】
Ｓ５１４にて水位が所定値未満であれば、Ｓ５１６に移行する。Ｓ５１６にて第６所定時間（本実施例では約５分であるが、これに限らない）が経過したかを確認する。ここで第６所定時間とは、給水タンク４から貯水タンク２２への給水を継続する時間のことであり、Ｓ５１３で給水タンク４から製氷手段２の貯水タンク２２への給水を開始したときからカウントを開始する。第６所定時間経過していなければ（Ｎｏであれば）Ｓ５１４に戻る。第６所定時間経過していれば（Ｙｅｓであれば）Ｓ５１７に移行する。
【０１２７】
Ｓ５１７にて給水タンク４から製氷手段２の貯水タンク２２への給水を停止し、Ｓ５１８に移行する。Ｓ５１８にて満氷タイマをクリア（カウント値を０に戻す）し、Ｓ５１９に移行する。Ｓ５１９にてＬＥＤ１ｃを点灯し、Ｓ５２０へ移行する。Ｓ５２０にて本ルーチンから抜けて、図１４のＳ４０１に戻る。
【０１２８】
Ｓ５０２にて満氷でなければ（Ｎｏであれば）Ｓ５１０に移行する。Ｓ５１０にて満氷タイマをクリア（カウント値を０に戻す）し、Ｓ５１１移行する。Ｓ５１１にて、排水動作を行う。排水動作とは、電磁弁３０を開き、貯水タンク２２内に残っている水や抗菌水を排水口２２ｂから排出するものである。排水が完了すると電磁弁３１を閉じ、Ｓ５１２に移行する。Ｓ５１２にて本ルーチンから抜けて、図１４のＳ１０１に戻る。
【０１２９】
以上のような構成により、製氷時には、給水タンク４から循環経路に給水される製氷用水に銀イオンを付与せずに製氷を行い、貯氷庫７が満氷時に行われる製氷手段２の洗浄動作にときに、循環経路中の製氷用水に銀イオンを付与して銀イオン水を生成し、銀イオン水を用いて製氷手段２の循環経路の洗浄を行うことができる。したがって、製氷された氷は不揮発性且つ抗菌性を有する物質（銀イオンなどの金属イオン）が含まれていない従来通りの氷を得ることができる。一方で満氷時に行われる製氷手段２の洗浄動作により、製氷手段２の循環経路は、不揮発性且つ抗菌性を有する物質を含む抗菌水が接触するので殺菌・抗菌され、循環経路を清潔に保つことができる。また、循環経路中に供給される水にかびや細菌が混入していたとしても、不揮発性且つ抗菌性を有する物質によりその水は抗菌水となるので、抗菌水中でのカビや細菌の増殖を抑制することができ、ぬめりの原因を根本的に排除することができる。
【０１３０】
また、貯氷庫７が満氷である場合は、製氷手段２にて製氷が行われないため、循環経路中にて抗菌性を有する物質が存在しない部分で、カビや細菌の増殖が危惧されるが、所定時間毎に抗菌水を循環することで、循環経路中に抗菌性を有する物質を存在させることができる。
【０１３１】
さらに、貯水タンク２２に貯水されている水の水量が、ポンプ２４の種類や性能などに見合った量でない場合には、ポンプ２４の空回りなどにより抗菌水の循環ができないこともありえるが、そのような場合、水の補充を行ってから抗菌水を生成することにより、このような事態が発生する可能性を低減することができる。
【０１３２】
貯水タンク２２に貯水されている水の水位が所定値に達しない場合など水の循環ができないときに報知手段であるＬＥＤ１ｃを点灯することで、循環経路の殺菌・抗菌ができないことを報知でき、給水タンク４への給水をユーザーに促すことができる。あるいは、給水タンク４から貯水タンク２２への給水が、なんらかの不具合（例えば、給水用ポンプの故障や給水パイプ５の目詰まりなど）により上手くいかない場合にもＬＥＤ１ｃが点灯するので、エラー報知としても機能することができる。
【０１３３】
さらにまた、抗菌水による循環経路の抗菌が行われた後に製氷する際に、貯水タンク２２にある抗菌水を排水したのち、不揮発性且つ抗菌性を有する物質（銀イオンなど）を含まない水を貯水タンク２２に供給し、その水で製氷を行うことができる。
【０１３４】
また、抗菌性を有する金属イオンである銀イオンは不揮発性であるので、長期にわたり水に抗菌性を付与することができ、少量で抗菌効果を得ることができる。金属電極に電圧を印加し電流を流す電気分解により水中に銀イオンを生成するので、銀イオンの溶出量や溶出時間などを電気的に制御することが可能であり、水質や水量に応じた銀イオン量、あるいは所望の銀イオン量を得やすくなる。
【０１３５】
なお、抗菌水生成手段として、図３や図１２に示すような電気分解による金属イオン溶出ユニット６に替えて、金属イオン含有物質１３を用いても良い。この場合、貯水タンク２２への給水を停止した後、一定時間経過（例えば３０分）してから次のステップに移行するようにするのが好ましい。この一定時間（溶出待機時間）は、殺菌または抗菌するのに充分な濃度の銀イオンが、金属イオン溶出物質１３から溶出されるのに必要な時間のことである。例えば、図１５のS５０６にて「銀電極に一定時間一定電流を流す」ことに替えて、溶出待機時間が経過するのを待ってからS５０７へ移行する。また、このときのS５０７での第５所定時間は、S５０６からS５０７へ移行した時から、カウントを開始すればよい。
【０１３６】
また、金属イオン溶出ユニット６は、給水経路中の給水パイプ５に設ける構造であってもよい。このような構成であっても、製氷時には、給水タンク４から循環経路に給水される製氷用水に銀イオンを付与せずに製氷を行い、貯氷庫７が満氷時に行われる製氷手段２の洗浄動作にときに、循環経路中の製氷用水に銀イオンを付与して銀イオン水を生成し、銀イオン水を用いて製氷手段２の循環経路の洗浄を行うことができる。
【０１３７】
また、本発明の製氷装置を単体として使用するのではなく、家庭用や業務用の冷蔵庫に組み込んでも良い。このような構成にすれば、冷蔵庫のみで衛生的な氷を得ることができる。特に家庭用の冷蔵庫であれば、家庭でも衛生的な氷を得ることができ、ユーザーの健康志向を満たすことができる。
【０１３８】
図１６は本発明の製氷装置を搭載した家庭用冷蔵庫の斜視図、図１７は本発明の製氷装置を搭載した家庭用冷蔵庫の概略垂直断面図である。なお、図１７は、正確には後述する製氷室１２５を通る面で切断した家庭用冷蔵庫の概略垂直断面図である。図１６、図１７を用いて本発明の第４の実施の形態について説明する。図１６、図１７に示すように、家庭用冷蔵庫１２０は、冷蔵室扉１２１、冷凍室扉１２２、製氷室扉１２３、蒸発皿１２４を備えており、冷蔵室扉１２１を開閉することで、冷蔵室１２６に野菜などを収納したり、取り出したりでき、冷凍室扉１２２を開閉することで、冷凍室（図示せず）に冷凍食品などを収納したり、取り出したりできる。また、製氷室扉１２３を開閉することで、給水タンク４を出し入れしたり、貯氷庫７から氷を取り出すことができる。なお、製氷は製氷室１２５にて行われ、製氷された氷は、氷点下以下の温度に保たれた貯氷庫７にて貯えられる。また、蒸発皿１２４は、蒸発器（図示せず）に付着した霜を取る（除霜する）際に発生する水分を受ける器である。
【０１３９】
なお、貯氷庫７は、本実施例では冷凍室（図示せず）とは別に設けられているが、冷凍室内に貯氷庫７を設ける構造としてもよい。
【０１４０】
また、貯水タンク２２の水や抗菌性を有する物質を含む水（例えば、銀イオン水などの金属イオン水）を、貯水タンク２２の溢水口２２ａや排水口２２ｂから蒸発皿１２４に排水できるようになっている。このようにすれば、蒸発皿１２４に溜まった水には雑菌やカビが発生する可能性があるが、抗菌性を有する物質（例えば銀イオン）を含む水を排水することにより雑菌やカビの発生を防ぐことができ、清潔に保つことができる。
【０１４１】
なお、貯水タンク２２内の水や抗菌性を有する物質を含む水は、排水口２２ｂから排水する方法に替えて、ポンプを使って排水するような構造としてもよい。
【０１４２】
また、以上の実施例では、貯水タンク２２内などの循環経路内に設けられている金属イオン溶出ユニット６や金属イオン含有物質１３により、循環経路内の水に銀イオン（金属イオン）を溶出して、銀イオン水を生成しているが、循環経路内に、金属イオン溶出ユニット６を設けず、製氷装置１以外の場所や装置で生成された不揮発性且つ抗菌性を有する物質が付与された抗菌水（例えば、銀イオン水や、他の金属イオン水）を給水タンク４に給水し、製氷装置１に給水タンク４をセットし、製氷を行うようにしてもよい。このようにすることで、給水タンク４も抗菌水と接触することになり、給水タンク４内部の表面におけるかびや細菌の繁殖及びぬめりの発生を抑えることができる。なお、金属イオン水である場合、この金属イオンは、金属電極に電圧を印加し電流を流すことで金属電極を電気分解して生成しても良いし、抗菌性を有する金属イオンを含有している金属イオン含有物質から、金属イオンを徐放または溶解させることで生成しても良い。
【０１４３】
以上の実施の形態は一例に過ぎず、製氷装置の具体的な構成、製氷装置の動作、製氷手段の製氷動作、製氷手段の洗浄方法、金属イオン溶出ユニットと金属イオン含有物質の具体的な形状や構成、取り付け位置などについても、すべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【０１４４】
【図１】本発明の第１の実施の形態に係る製氷装置の斜視図である。
【図２】本発明の第１の実施の形態に係る製氷装置を垂直面で切断したときの概略垂直断面図である。
【図３】本発明の第１の実施の形態に係る金属イオン溶出ユニットの概略断面図である。
【図４】本発明の第１の実施の形態に係る流下式製氷手段の主要部の斜視図である。
【図５】本発明の第１の実施の形態に係る流下式製氷手段の主要部の概略正面図である。
【図６】本発明の第１の実施の形態に係る冷凍サイクル図である。
【図７】本発明の第１の実施の形態に係る製氷装置の動作を示すフローチャートである。
【図８】本発明の第１の実施の形態に係る製氷手段の製氷動作を示すフローチャートである。
【図９】本発明の第１の実施の形態に係る製氷手段の洗浄動作を示すフローチャートである。
【図１０】本発明の第１の実施の形態に係る流下式製氷手段の主要部の第１の変形例の斜視図である。
【図１１】本発明の第１の実施の形態に係る流下式製氷手段の主要部の第２の変形例の斜視図である。
【図１２】本発明の第１の実施の形態の第２の変形例に係る金属イオン溶出ユニットの概略断面図である。
【図１３】本発明の第２の実施の形態に係る製氷装置を垂直面で切断したときの概略垂直断面図である。
【図１４】本発明の第３の実施の形態に係る製氷装置の動作を示すフローチャートである。
【図１５】本発明の第３の実施の形態に係る製氷手段の洗浄動作を示すフローチャートである。
【図１６】本発明の製氷装置を搭載した家庭用冷蔵庫の斜視図である。
【図１７】本発明の製氷装置を搭載した家庭用冷蔵庫の概略垂直断面図である。
【符号の説明】
【０１４５】
１      製氷装置
１ａ    扉
１ｂ    取り出し口
１ｃ    ＬＥＤ
２      製氷手段
３      製氷室
４      給水タンク
５      給水パイプ
６      金属イオン溶出ユニット
７      貯氷庫
８      開閉部
９      制御部
１０ａ  仕切り壁
１０ｂ  仕切り壁
１３    金属イオン含有物質
１５    水位センサ
１６    蒸発皿
２１    製氷板
２１ａ  凸部
２１ｂ  凹部
２１ｃ  仕切り板
２２    貯水タンク
２２ａ  溢水口
２２ｂ  排水口
２２ｃ  ユニット差込口
２３    循環パイプ
２３ａ  散水孔
２４    ポンプ
２５    配管
２６    排水管
２８    氷
３０    電磁弁
４１ａ  電極側接続端子
４１ｂ  電極側接続端子
４５    給水タンク収納ケース
６１    ケース
６２ａ  銀電極
６２ｂ  銀電極
６３ａ  接続端子
６３ｂ  接続端子
６４ａ  開口部
６４ｂ  開口部
６５    ユニット基板
９１ａ  制御側接続端子
９１ｂ  制御側接続端子
１００  冷凍サイクル
１０１  圧縮機
１０２  四方弁
１０３  熱交換器
１０４  膨張弁
１２０  家庭用冷蔵庫
１２１  冷蔵室扉
１２２  冷凍室扉
１２３  製氷室扉
１２４  蒸発皿
１２５  製氷室
１２６  冷蔵室
【図１】
2006349193.tif 000003
【図２】
2006349193.tif 000004
【図３】
2006349193.tif 000005
【図４】
2006349193.tif 000006
【図５】
2006349193.tif 000007
【図６】
2006349193.tif 000008
【図７】
2006349193.tif 000009
【図８】
2006349193.tif 000010
【図９】
2006349193.tif 000011
【図１０】
2006349193.tif 000012
【図１１】
2006349193.tif 000013
【図１２】
2006349193.tif 000014
【図１３】
2006349193.tif 000015
【図１４】
2006349193.tif 000016
【図１５】
2006349193.tif 000017
【図１６】
2006349193.tif 000018
【図１７】
2006349193.tif 000019